(57)【要約】【課題】先組のコンクリート型枠に、対峙するように他方のコンクリート型枠を建て込むには、視認できないセパレータコーンのおねじが、コンクリート型枠のセパ穴に合致するようにしなければならない。しかも、セパレータは一時的に片持ち状態となるので開放端が下降しがちとなるので手間の掛かることが多かった。【解決手段】少なくても一方のセパレータコーンＣを、裁頭円錐形の外形形状をなし、コンクリート型枠側に擂鉢状に拡開したセンタリング用凹部４１２を有すると共に、軸中心には両端から逆向きに螺設された一対のねじ穴４１３、４１４が連続して設けられ、かつ前記凹部４１２の外周部まわりには、コンクリート型枠側に向かって放射状に並ぶ複数のテーパ穴４１６を列設してなるコーン本体４１１と、一端がこのコーン本体４１１内ねじ穴４１３に着脱可能に螺着され、他端がコンクリート型枠１外面に突出させる軸足セパ５６で構成した。【選択図】        図２
2004324275.tif 000002
【特許請求の範囲】
【請求項１】
一対のコンクリート型枠を、セパレータ本体及びセパレータ本体の両端部に螺着しかつ前記コンクリート型枠のコンクリート打設側内面に当接させ、かつコンクリート型枠のセパ穴を介して外面に突出させるセパレータコーンによって所定の間隔に対峙させ、コンクリート型枠外面に突出するセパレータコーンにフォームタイのタイロッドを締結して組み立てる施工構造であって、少なくても一方のセパレータコーンを、裁頭円錐形の外形形状をなし、コンクリート型枠側に擂鉢状に拡開したセンタリング用凹部を有すると共に、軸中心には両端から逆向きに螺設された一対のねじ穴が連続して設けられ、かつ前記凹部の外周部まわりには、コンクリート型枠側に向かって放射状に並ぶ複数のテーパ穴を列設してなるコーン本体と、一端がこのコーン本体内ねじ穴に着脱可能に螺着され、他端がコンクリート型枠外面に突出させる軸足セパで構成するようにしたことを特徴とするコンクリート型枠の施工構造。
【請求項２】
フォームタイは、タイロッドとバタ材を止めるナット及び座金からなり、少なくとも一方のフォームタイのタイロッド先端部に、前記コーン本体に螺着された軸足セパに締め込むようにしたことを特徴とする請求項１記載のコンクリート型枠の施工構造。
【請求項３】
前記フォームタイのタイロッド先端部に、軸足セパの一端を予め螺着固定し、コンクリート型枠のセパ穴よりコーン本体に締め込むようにしたことを特徴とする請求項１記載のコンクリート型枠の施工構造。
【請求項４】
裁頭円錐形の外形形状をなし、コンクリート型枠側に擂鉢状に拡開したセンタリング用凹部を有すると共に、軸中心には両端から逆向きに螺設された一対のねじ穴が連続して設けられ、かつ前記凹部の外周部まわりには、コンクリート型枠側に向かって放射状に並ぶ複数のテーパ穴を列設してなるコーン本体と、一端がこのコーン本体内ねじ穴に着脱可能に螺着され、他端がコンクリート型枠外面に突出させる軸足セパで構成するようにしたことを特徴とするセパレータコーン。
【請求項５】
コーン本体の前記凹部の穴底に取り外し用の欠込み溝を有することを特徴とする請求項４記載のセパレータコーン。
【請求項６】
前記軸足セパは、フォームタイ側の端部にスパナー掛け用のネック部を有することを特徴とする請求項４又は請求項５記載のセパレータコーン。
【発明の詳細な説明】
【０００１】
【発明の属する技術分野】
この発明は、コンクリートにより建築用又は土木用の壁、柱、土台などを形成する場合にセパレータによって所定の間隔に対峙させる一対のコンクリート型枠の施工構造及びこれに用いるセパレータコーンに関するものである。
従来、コンクリート型枠を対峙させて立設固定するには、大型の型枠であるとコンクリート型枠同士を繋ぐ金具、コンクリート型枠の外側に配する横バタ材、縦バタ材、コンクリート型枠を垂直に支えるための支柱、筋交い、これらを繋ぐ金具などというように極めて多くの構成部品を使用する必要があった。
しかし、本発明は、コンクリート型枠を複数庫を縦横に並べて、一対の外枠を構成し、これらを一定の間隔に保つために、型枠の内側（コンクリート打設空間側）に配置するセパレータの施工構造及びこれに用いるセパレータコーンに関するものである。
【０００２】
【従来の技術】
従来複数の合板製の堰板を繋げて得る大型のコンクリート型枠１、１を所定の間隔、すなわちコンクリート構造物の壁厚に合致させるようにセパレータ２を介して対峙するように建て込んでいる（特許文献１）。
【０００３】
上記特許文献１に開示されているコンクリート型枠１、１の内部に配置されるセパレータ２は、図６乃至図７に示すように、ロッドの両端部におねじ３１を形成したセパレータ本体３と、コンクリート硬化後に取り外すセパレータコーン４よりなるものである。セパレータコーン４は、裁頭円錐形をなすプラスチック成形品、或いは木製のものからなり、軸心にはセパレータ本体３のおねじ３１に螺着するめねじ４１とコンクリート型枠１に穿ったセパ穴１１より外側に突出するおねじ４２を設けるようにしてある。
このセパレータ２をコンクリート型枠１に取り付けるには、該コンクリート型枠１の外側からフォームタイ５で固定することが必要になる。
【０００４】
前記フォームタイ５は、先端部にセパレータコーン４のおねじ４２にねじ込むためのねじ穴５１の穴が形成してあり、後端部側にはおねじ５２を設けたタイロッド５３と、おねじ５２にねじ込むナット５４及び、コンクリート型枠１、１背面の縦桟６及び丸パイプからなる横バタ材７、７を掴持する座金５５を、タイロッド５３に遊嵌させてなるものである。
このフォームタイ５のタイロッド５３のねじ穴５１内には、コンクリート型枠１を挟んで前記セパレータコーン４のおねじ４２が螺合され、このことによってセパレータ２との連結が行われると共に、座金５５にて横バタ材７、７としての二つのパイプにつかむようにしてからナット５４を締め付けることで、コンクリート型枠の施工が行われる。
【０００５】
コンクリート型枠の施工に当たっては、例えば先組する一方のコンクリート型枠１のセパ穴１１には、セパレータ２のセパレータコーン４のおねじ４２を通して、フォームタイ５のねじ穴５１をセパレータコーン４のおねじ４２にねじこみ、横バタ材７、７を介し座金５５をあてがい、次いでナット５４をねじ込むことで一体として基盤上に建て込むことができる（図６）。このときセパレータ２は片持ち状態となる。
その後、他方のコンクリート型枠１を対峙するようにレッカーなどで基盤上に建て込み、セパレータコーン４の突出するおねじ４２をコンクリート型枠１のセパ穴１１に合わせて挿入するようにし、フォームタイ５のタイロッド体５３のねじ穴５１をねじ込み、横バタ材７、７を掴持する座金５５をタイロッド５３に通し、ナット５４を締め付けることでセパレータ２を固定していた（図７）。
【０００６】
【特許文献１】
実公昭５９−２９０７６号公報（第２図、第３図）
【０００７】
【発明が解決しようとする課題】
一般に、コンクリート型枠１、１の間には、図示しないが鉄骨や鉄筋が配設され、かつ多数のセパレータ２が取り付けられている。このようにコンクリート施工環境では、先組のセパレータ２を取り付けたコンクリート型枠１に、対峙するように他方のコンクリート型枠１を建て込むには、視認できないセパレータコーン４のおねじ４２が、コンクリート型枠１のセパ穴１１に合致するようにしなければならない。
しかも、実際には大型のコンクリート型枠１であると多数のセパレータ２を配置することになり、しかも、セパレータは一時的に片持ち状態となるので開放端が下降しがちとなり、全てのセパレータコーン４の突出するおねじ４２とコンクリート型枠１のセパ穴１１を合わせるのに手間の掛かることが多かった。
このように、従来のセパレータ２及びフォームタイ５は、これを用いてコンクリート型枠１、１を対峙するように施工する場合、作業性が悪かった。
【０００８】
そこで、出願人は、かって特願２００２−１８４３１４号として、セパレータ２の一方のセパレータコーン４１１を、コンクリート型枠１に内接するのみとし、加えて、セパレータコーン４１１の軸心の貫通穴には、コンクリート型枠１側に擂鉢状に拡開させたセンタリング用凹部４１２と逆向きに螺設された一対のねじ穴４１３、４１４を形成するようにし、そして、他方のフォームタイ５に、コンクリート型枠１に内接するのみのセパレータコーン４１１のねじ穴４１３にねじ込むおねじ５６ａ（軸足５６）を設けるようにしたセパレータコーンを提案した。
【０００９】
このような構成を採用したことにより、セパレータの施工に際して、先組の型枠１にセパレータ２を予め組み付け、他方の型枠１の外側からおねじ５６ａを備えたフォームタイ５を締め込む際に、セパレータコーン４１１に擂鉢状の拡開させたセンタリング用凹部４１２があるので、若干の位置ずれがあっても、しかも型枠１の外からそのセパレータコーン４１１のねじ穴４１３が視認できなくても容易かつ確実に両者の螺合連結を果たすことができ、セパレータコーン４１１と軸足５６との円滑な組み付けが支障を生じることなくできるのである。
【００１０】
しかし、発明者の経験によると、上述のセパレータコーン４１１では、時として解体時に外れなくなることがあった。
そこで、この発明の目的は、コンクリートの養生硬化後に確実に外れる拡開したセンタリング用凹部を備えるセパレータコーンを開発することで上記の不都合を確実に解消できるセパレータコーンの構造と、これを用いたコンクリート型枠の施工構造を提案することにある。
【００１１】
【課題を解決するための手段】
上記目的の実現に向けた研究の中で発明者は、先に、特願２００２−１８４３１４号として新規なセパレータコーンを提案した。本発明には前記先行提案したセパレータコーンと比較すると、次のような特徴を有するものである。
すなわち、本発明は、一対のコンクリート型枠を、セパレータ本体及びセパレータ本体の両端部に螺着しかつ前記コンクリート型枠のコンクリート打設側内面に当接させ、かつコンクリート型枠のセパ穴を介して外面に突出させるセパレータコーンによって所定の間隔に対峙させ、コンクリート型枠外面に突出するセパレータコーンにフォームタイのタイロッドを締結して組み立てる施工構造であって、  少なくても一方のセパレータコーンを、裁頭円錐形の外形形状をなし、コンクリート型枠側に擂鉢状に拡開したセンタリング用凹部を有すると共に、軸中心には両端から逆向きに螺設された一対のねじ穴が連続して設けられ、かつ前記凹部の外周部まわりには、コンクリート型枠側に向かって放射状に並ぶ複数のテーパ穴を列設してなるコーン本体と、一端がこのコーン本体内ねじ穴に着脱可能に螺着され、他端がコンクリート型枠外面に突出させる軸足セパで構成するようにしたことを特徴とするコンクリート型枠の施工構造である。
【００１２】
なお、本発明において、前記フォームタイは、タイロッドとバタ材を止めるナット及び座金からなり、少なくとも一方のフォームタイのタイロッド先端部に、前記コーン本体に螺着された軸足セパに締め込むようにしたものであることが好ましく、そして、このフォームタイのタイロッド先端部に、軸足セパの一端を予め螺着固定し、コンクリート型枠のセパ穴よりコーン本体に締め込むようにすることが好ましい。
【００１３】
さらに、本発明は、裁頭円錐形の外形形状をなし、コンクリート型枠側に擂鉢状に拡開したセンタリング用凹部を有すると共に、軸中心には両端から逆向きに螺設された一対のねじ穴が連続して設けられ、かつ前記凹部の外周部まわりには、コンクリート型枠側に向かって放射状に並ぶ複数のテーパ穴を列設してなるコーン本体と、一端がこのコーン本体内ねじ穴に着脱可能に螺着され、他端がコンクリート型枠外面に突出させる軸足セパで構成するようにしたことを特徴とするセパレータコーンを提案する。
【００１４】
なお、本発明において、上記セパレータコーンは、コーン本体の前記凹部の穴底に取り外し用の欠込み溝を有することが好ましく、前記軸足セパは、フォームタイ側の端部にスパナー掛け用のネック部を有することが好ましい。
【００１５】
【発明の実施の形態】
以下、図面に示す本発明の実施の形態に即して説明する。
本発明に係るコンクリート型枠の施工方法では、図１に示す通り、セパレータ２、フォームタイ５を用いてコンクリート型枠１を組み立てることになる。
前記セパレータ２は、ロッドの両端部におねじ３１を形成したセパレータ本体３と、このセパレータ本体３の両端部に螺着してコンクリート内面に接触させると共に、コンクリート硬化後には取り外すセパレータコーン４、Ｃよりなるものである。
かかるセパレータコーン４は、裁頭円錐形をなすプラスチック成形品、或いは木製品からなり、軸心にはセパレータ本体３のおねじ３１を螺着するめねじ４１と、そしてコンクリート型枠１に穿ったセパ穴１１より外側に突出させるるおねじ４２が設けてある。
【００１６】
前記セパレータ２をコンクリート型枠１、１同士を一定の間隔を介在させて固定するには、該コンクリート型枠１の外側からフォームタイ５で締め付けることが必要でなる。
すなわち、先組する一方のコンクリート型枠１のセパ穴１１には、セパレータ２のセパレータコーン４のおねじ４２を通して、フォームタイ５のねじ穴５１をセパレータコーン４のおねじ４２にねじこみ、横バタ材７、７を介し座金５５をあてがい、次いでナット５４をねじ込むことで一体として基盤上に建て込むことになる（図６）。このときセパレータ２は片持ち状態となる。
【００１７】
本発明において、施工能率を上げるためにとくに採用したセパレータ２のセパレータコーンＣは、コーン本体４１１と、この本体４１１に対して着脱可能に螺着する別体の軸足セパ５６とからなるものである。
このセパレータコーンＣのコーン本体４１１は、外形は裁頭円錐形をなし、コンクリート型枠１に接する側に擂鉢状に拡開させたセンタリング用凹部４１２を備え、軸中心には両端から逆向きに螺設された一対のねじ穴４１３、４１４を連続して設けられ、このねじ穴４１４（フォームタイ５側）には軸足セパ５６が着脱可能に取り付けられている。
この凹部４１２の存在が、本発明に係るセパレータコーンＣの最も特徴的な構成であり、コンクリート型枠施工時に、この凹部４１２に型枠１の外側から、セパ穴１１を介して軸足セパ５６を挿入して前記ねじ穴４１３に螺合させ、該セパレータコーンＣと軸足セパ５６とを連結するときに、前記凹部４１２が見えない状態でも自動的にセンタリングできることから確実に連結することができる。
【００１８】
図示した符号４１５は、コーン本体４１１の凹部４１２の穴底に形成した取り外し用の欠込み溝で、コンクリート硬化後にコンクリート型枠１を外したとき、コンクリート内に埋設状態で残るコーン本体４１１を電動ドライバー等を差し込んで回し、コーン本体３より外して再利用に供するために設けてある（図４）。
本発明のセパレータコーンＣは、上記の構成に加えて、コンクリート型枠１側に向かって放射状に並ぶ複数のテーパ穴４１６が列設されている。このテーパ穴４１６を設けたことにより、コンクリート内から該セパレータコーンＣを取り外すとき、周壁を内向きに倒れ易くするので、取り外しが容易になる。
【００１９】
前記コーン本体４１１は、鍔を備えた金属製パイプ４１７にめねじを切り、このパイプを囲繞するようにプラスチックで被覆した状態に成形したものが好ましく、この金属製パイプ４１７は、プラスチックコーン本体４１８に対応して着脱可能に取り付けたものであって、外側のプラスチックが変形しても、それを取り替えることで、中の金属パイプ４１７の方は複数回の使用に耐えることができるようになっておりコスト的にも有利である。
【００２０】
フォームタイ５は、従来品と同様の構成、すなわち、先端部にセパレータコーン４のおねじ４２や軸足セパ５６にねじ込むために螺設したねじ穴５１が形成してあり、後端部側にはおねじ５２を設けたタイロッド５３と、おねじ５２にねじ込むナット５４及び、コンクリート型枠１、１背面の縦桟６及び丸パイプからなる横バタ材７、７を掴持する座金５５を、タイロッド５３に遊嵌させてなるものである。
【００２１】
本発明に係るセパレータコーンＣは、コーン本体４１１にコンクリート型枠１を貫通させるおねじを固定せず、別途、着脱可能な軸足セパ５６（図３）を採用し、この軸足セパ５６をコーン本体４１１およびタイロッド５３の双方に螺合させるようになっている。
即ち、この軸足セパ５６は、両端部におねじ５６ａ、５６ｂを形成した両ねじボルトであり、一端をコーン本体４１１内のねじ穴４１３に着脱可能に螺着させ、他端はコンクリート型枠１のセパ穴１１から型枠１１外に突出させるようにする。そして、この軸足セパ５６の軸方向の中央部には平坦面５６ｂ、５６ｂが形成してあり、この位置にレンチなどを使ってフォームタイ５のタイロッド５３のねじ穴５１にねじ込めるようにしてある。なお、この軸足セパ５６には、フォームタイ５側のおねじ５６ａ先端を、同様に削って形成したスパナ掛け用のネック部５６ｃが設けてある。
【００２２】
次に、本発明に係るコンクリート施工方法の一例について述べる。
複数の合板製の堰板を左右方向に並列させ、縦桟６に打ちつけることにより一枚の外壁側のコンクリート型枠１とし、外側には横バタ材７、７を添わせ、必要に応じて別途、縦バタ材で補強する。
次に、セパレータ本体３のおねじ３１の一方に、めねじ４１を設けると共に突出するおねじ４２を備えた従来型のセパレータコーン４をねじ込み、このセパレータ本体３の他方には、コンクリート型枠１側に擂鉢状に拡開させたセンタリング用凹部４１２を有する本発明に係るセパレータコーンＣをねじ込む。このセパレータコーンＣの軸心部には連続する逆向きの一対のねじ穴４１３、４１４を有し、前期凹部４１２のまわりにテーパ穴４１６が設けてある。セパレータ２はコーン本体４１１のねじ穴４１４にセパレータ本体３をねじ込む。
そして、前記セパレータ２のセパレータコーン４を外壁側のコンクリート型枠１のセパ穴１１よりおねじ４２を突出させ、このおねじ４２にフォームタイ５のねじ穴５１をねじ込み、フォームタイ５の座金５５及びナット５４で横バタ材７、７を止めてコンクリート型枠１を形成し、レッカー作業にて予め地面に設けた図示しない支柱、筋交いなどのサポート金具で基盤に建て込み、まず先組のコンクリート型枠１を構築する。
【００２３】
次に複数の合板製の堰板を左右方向に並列させ、縦桟６に打ちつけることで内壁側のコンクリート型枠１とし、外側には横バタ材７、７を添わせ、必要に応じて別途縦バタ材で補強する他方のコンクリート型枠１をレッカーで吊り上げて、先組のセパレータ２を取り付けたコンクリート型枠１と対峙するように、後組のコンクリート型枠１を配置する。このときにコンクリート型枠１、１の対応するセパ穴１１は平行位置となるようにする。
【００２４】
フォームタイ５先端のねじ穴５１に、両端側におねじ５６ａ、５６ａを設けた軸足セパ５６のネック部５６ｃ側を、平坦面５６ｂ、５６ｂをレンチにて挟んでねじ込み、フォームタイ５の先端におねじ５６ａが突出するようにしておく。
そしてフォームタイ５の軸足セパ５６の他端のおねじ５６ａを、コンクリート型枠１のセパ穴１１を通してコーン本体４１１にねじ込み、フォームタイ５のナット５４及び座金５５で横バタ材７、７を止め、支柱、筋交いなどのサポート金具で基盤に垂直に建て込むのである。
【００２５】
対峙させたコンクリート型枠１、１間にコンクートを打設し、養生硬化後にコンクリート型枠１、１を解体する。このとき、まずセパレータコーン４１１側から外すようにする。フォームタイ５のナット５４を緩めつつ、横バタ材７、７を外し、座金５５を取り外す。次いで、フォームタイ５のタイロッド５３を緩めるように回転させると軸足セパ５６が一体に外れることになる。軸足セパ５６がコンクリート型枠１の外側に突出したままでフォームタイ５が外れた場合は、軸足セパ５６のネック部５６ｃをレンチなどで回転させることで軸足セパ５６を取り外すことになる。
【００２６】
すると、このコンクリート型枠１の外側には支えるものが全くなくなるので、コンクリート型枠１はフリーとなり、クレーンで簡単に吊りあげることができる。従来のフォームタイ５では、セパレータコーンのねじ棒がコンクリート型枠１を貫通しているので、これを避けるために、コンクリート型枠１を立てたまま平行移動させる面倒な手間が必要であったが、本発明方法では、この作業が不要となる。
【００２７】
次に、セパレータコーン４、コーン本体４１１を外して、それによって生じた窪みにモルタルを充填して表面を平滑にするのであるが、コーン本体４１１には欠込み溝４１５があるので、ここに電動ドライバーを差し込み回転させることで簡単に取り外すことができる。
【００２８】
なお、軸足セパ５６をコンクリート型枠１のセパ穴１１を通してコーン本体４１１にねじ込み取り付けてから、フォームタイ５のねじ穴５１に軸足セパ５６のおねじ５６ａにねじ込むようにすることもできる。
これまでの説明では、フォームタイ５を同一の構造のものを採用したものとした。そこで、一方のコーン本体４１１がコンクリート型枠１のセパ穴１１から外におねじ４２が突き出ることがなく、ねじ穴４１３を備えたものであるので、締結のために軸足セパ５６で補うようにした。
しかし、フォームタイ５の一方を、先端にコーン本体４１１のねじ穴４１３にねじ込むことができるねじ棒を一体に備える構成とすれば軸足セパ５６は不要となる。
また、実施の形態では一方側のセパレータコーンＣをコーン本体４１１と軸足セパ５６とより構成したものとしたが、双方に軸足セパ５６を別途設けるようにしたものとしてもよい。
【００２９】
【発明の効果】
本発明は以上のような構成からなるもので、コンクリート型枠の施工構造としては、少なくても一方のセパレータコーンを、裁頭円錐形の外形形状をなし、コンクリート型枠側に擂鉢状に拡開したセンタリング用凹部を有すると共に、軸中心には両端から逆向きに螺設された一対のねじ穴が連続して設けられ、かつ前記凹部の外周部まわりには、コンクリート型枠側に向かって放射状に並ぶ複数のテーパ穴を列設してなるコーン本体と、一端がこのコーン本体内ねじ穴に着脱可能に螺着され、他端がコンクリート型枠外面に突出する軸足セパとから構成するようにしたもので、一方の外枠にセパレータを取り付けて建て込み、他方の外枠を対峙させて建て込むときに、コンクリート型枠のセパ穴にセパレータのセパレータコーンのおねじを厳密に合致させる必要も手間もなくなったのである。
【００３０】
そして、このセパレータコーンにコンクリート型枠側より放射状に多数のテーパ穴を設けるように形成したので、セパレータコーンが固化したコンクリート層内に閉じ込められて外れないということが起こらなくなったのである。
【００３１】
また、本発明に係る施工構造では、フォームタイは、タイロッドとバタ材を止めるナット及び座金からなり、少なくとも一方のフォームタイのタイロッド先端部に、前記コーン本体に螺着された軸足セパに締め込むようにしたので、フォームタイを従来と同様な構造のものを採用したので、この施工構造を採用する場合の初期費用を押えることができるのである。
【００３２】
また、本発明に係る施工構造では、フォームタイのタイロッド先端部に、軸足セパの一端を予め螺着固定し、コンクリート型枠のセパ穴よりコーン本体に締め込むようにしたので、作業手順が良好で組み立てがすみやかになるのである。
【００３３】
また、本発明に係るセパレータコーンは、裁頭円錐形の外形形状をなし、コンクリート型枠側に擂鉢状に拡開したセンタリング用凹部を有すると共に、軸中心には両端から逆向きに螺設された一対のねじ穴が連続して設けられ、かつ前記凹部の外周部まわりには、コンクリート型枠側に向かって放射状に並ぶ複数のテーパ穴を列設してなるコーン本体を採用したので、特に、テーパ穴の採用によりコーン本体が硬化したコンクリート内に閉じ込められ外れないということがなく、繰り返し使用することができトータルとすれば経済的になるのである。
また、一端がこのコーン本体内ねじ穴に着脱可能に螺着され、他端がコンクリート型枠外面に突出する軸足セパを採用したので、先組のコンクリート型枠にセパレータを取り付け建て込んだ後、微細な傾きやセパレータの自重による開放端のささいな下降があっても、先組のコンクリート型枠と対峙させるコンクリート型枠を建て込み、軸足セパや予め軸足をねじ込んだフォームタイをコンクリート型枠のセパ穴からねじ込むに際して擂鉢状のセンタリング用凹部によって補正され、確実に締め付けることができることになる。
【図面の簡単な説明】
【図１】この発明に係るフォームタイとセパレータコーンの取り付け状態の要部断面図である。
【図２】この発明に係るコンクリート型枠へのセパレータとフォームタイの組付状態の要部断面図である。
【図３】フォームタイに取り付ける軸足セパの正面図である。
【図４】この発明に係るセパレータコーンの斜視図である。
【図５】Ａ、Ｂはこの発明に係るセパレータコーンの断面図である。
【図６】従来のコンクリート型枠へのセパレータの施工方法を示す断面図である。
【図７】従来の外枠へのセパレータ及びフォームタイの組付状態を示す断面図である。
【図８】出願人の提案したセパレータコーンの使用状態の断面図である。
【符号の説明】
１  コンクリート型枠
２  セパレータ
３  セパレータ本体
４  セパレータコーン
Ｃ  セパレータコーン
４１１  コーン本体
５６  軸足セパ
５  フォームタイ
５３  タイロッド
５４  ナット
５５  座金
６  縦桟
７  横バタ材
【図１】
2004324275.tif 000003
【図２】
2004324275.tif 000004
【図３】
2004324275.tif 000005
【図４】
2004324275.tif 000006
【図５】
2004324275.tif 000007
【図６】
2004324275.tif 000008
【図７】
2004324275.tif 000009
【図８】
2004324275.tif 000010